(57)【特許請求の範囲】
【請求項１】
複数の液状材料用射出シリンダを備えると共に、夫々の射出シリンダのピストンを単一の前後進シリンダの前進により同時に前進せしめて、複数種の液状材料を同時に押し出す装置であって、
前記複数個の液状材料用射出シリンダにおける任意の一個若しくは複数個のピストンの前後進移動量を任意に調整する調整部材を一個若しくは複数個備え、
該調整部材は、前記前後進シリンダと共に連動せしめて前後進可能に構成されると共に、射出シリンダにおけるピストンの一端を、前後進シリンダの前進方向に対して一定の角度を保持して摺接せしめることにより、該ピストンを前後進せしめることを特徴とする液状材料射出装置。
【請求項２】
複数の液状材料用射出シリンダを備えると共に、夫々の射出シリンダのピストンを単一の前後進シリンダの前進により同時に前進せしめて、複数種の液状材料を同時に押し出す装置であって、
前記複数個の液状材料用射出シリンダにおける任意の一個若しくは複数個のピストンの前後進移動量を任意に調整する調整部材を一個若しくは複数個備え、
該調整部材は、前記前後進シリンダと共に連動せしめて前後進可能に構成されると共に、射出シリンダにおけるピストンの一端を摺接せしめて該ピストンを前後進せしめ、
前記複数の液状材料用射出シリンダは、前後進シリンダの前進により該前後進シリンダと同一方向に前進作動するピストンを備えた射出シリンダと、前後進シリンダの前進作動と共に前進する調整部材により前後進シリンダの前進方向と直交する方向に前進作動するピストンを備えた射出シリンダであることを特徴とする液状材料射出装置。
【請求項３】
複数の液状材料用射出シリンダを備えると共に、夫々の射出シリンダのピストンを単一の前後進シリンダの前進により同時に前進せしめて、複数種の液状材料を同時に押し出す装置であって、
前記複数個の液状材料用射出シリンダにおける任意の一個若しくは複数個のピストンの前後進移動量を任意に調整する調整部材を一個若しくは複数個備え、
該調整部材は、角度調整可能な押上げ作動部を有し、前記前後進シリンダと共に連動せしめて前後進可能に構成されると共に、該押し上げ作動部の表面と液状材料用射出シリンダにおけるピストンの一端を摺接せしめて該ピストンを前後進せしめ、
前記複数の液状材料用射出シリンダは、前後進シリンダの前進により該前後進シリンダと同一方向に前進作動するピストンを備えた射出シリンダと、前後進シリンダの前進作動と共に前進する調整部材により前後進シリンダの前進方向と直交する方向に前進作動するピストンを備えた射出シリンダであることを特徴とする液状材料射出装置。
【発明の詳細な説明】
【０００１】
【発明の属する技術分野】
本発明は、単一の前後進シリンダの前進により、複数種の液状材料を同時に押し出す液状材料射出装置に関する。
【０００２】
【従来技術】
従来、この種の装置として図３に示す構造が一般に知られている。
【０００３】
図３の構造をもって従来技術について説明すると、単一の前後進シリンダ１００におけるピストン１０１の前端に、液状材料用射出シリンダ２００，３００，４００を複数個備え、上記ピストン１０１の前進作動に伴って夫々の射出シリンダ２００，３００，４００のピストン２０１，３０１，４０１が同時に前進作動を行い、夫々のシリンダ２００，３００，４００内に送り込まれている複数種類の液状材料を同時に押し出す構造である。
【０００４】
また、図面では、各射出シリンダ２００，３００，４００の容量が同一のものをもって説明するが、一部のシリンダ（例えばシリンダ４００）のみを小容量とするものも同様に知られている。尚、図中５００，６００，７００は、夫々液状材料タンクを示す。
【０００５】
【発明が解決しようとする課題】
しかし、上述の従来構造では、夫々の液状材料の押し出し量の比率が決まっており、任意の一つ若しくは複数の液状材料の押し出し量を、液状材料の所要混合比率に応じてその都度任意に変えることはできなかった。
【０００６】
すなわち、現在提供されている装置では、複数種類の液状材料を一定の混合比率でしか得られず、例えばシリンダ２００，３００の液状材料の押し出し量に比して少量の液状材料をシリンダ４００から押し出すことは、該シリンダ４００を小容量のものと形成してあれば可能であるが、このシリンダ４００の押し出し量を適宜必要に応じて変更することはできなかったものである。
【０００７】
また、必要に応じて夫々容量の異なった射出シリンダを部分的に取り替える構造とすることも考えられるが、押し出し量に応じた容量の射出シリンダを多数用意する必要があった。これでは、コストが嵩むばかりでなく、交換作業上、管理上においても大変煩わしく面倒であった。
【０００８】
本発明は、従来技術の有するこのような問題点に鑑みなされたものであり、その目的とするところは、単一の前後進シリンダによる前進動作で複数の液状材料を同時に押し出す装置において、液状材料の押し出し量の所要混合比率に応じてその都度液状材料の押し出し量を増減変更可能な液状材料射出装置を提供することである。
【０００９】
【課題を解決するための手段】
上記課題を達成するために本発明がなした技術的手段は、複数の液状材料用射出シリンダを備えると共に、夫々の射出シリンダのピストンを単一の前後進シリンダの前進により同時に前進せしめて、複数種の液状材料を同時に押し出す装置であって、
前記複数個の液状材料用射出シリンダにおける任意の一個若しくは複数個のピストンの前後進移動量を任意に調整する調整部材を一個若しくは複数個備え、
該調整部材は、前記前後進シリンダと共に連動せしめて前後進可能に構成されると共に、射出シリンダにおけるピストンの一端を、前後進シリンダの前進方向に対して一定の角度を保持して摺接せしめることにより、該ピストンを前後進せしめることを特徴とする液状材料射出装置としたことである。
【００１０】
また、複数の液状材料用射出シリンダを備えると共に、夫々の射出シリンダのピストンを単一の前後進シリンダの前進により同時に前進せしめて、複数種の液状材料を同時に押し出す装置であって、前記複数個の液状材料用射出シリンダにおける任意の一個若しくは複数個のピストンの前後進移動量を任意に調整する調整部材を一個若しくは複数個備え、該調整部材は、前記前後進シリンダと共に連動せしめて前後進可能に構成されると共に、射出シリンダにおけるピストンの一端を摺接せしめて該ピストンを前後進せしめ、前記複数の液状材料用射出シリンダは、前後進シリンダの前進により該前後進シリンダと同一方向に前進作動するピストンを備えた射出シリンダと、前後進シリンダの前進作動と共に前進する調整部材により前後進シリンダの前進方向と直交する方向に前進作動するピストンを備えた射出シリンダであることを特徴とする液状材料射出装置とする場合もある。
【００１１】
さらに、複数の液状材料用射出シリンダを備えると共に、夫々の射出シリンダのピストンを単一の前後進シリンダの前進により同時に前進せしめて、複数種の液状材料を同時に押し出す装置であって、前記複数個の液状材料用射出シリンダにおける任意の一個若しくは複数個のピストンの前後進移動量を任意に調整する調整部材を一個若しくは複数個備え、該調整部材は、角度調整可能な押上げ作動部を有し、前記前後進シリンダと共に連動せしめて前後進可能に構成されると共に、該押し上げ作動部の表面と液状材料用射出シリンダにおけるピストンの一端を摺接せしめて該ピストンを前後進せしめ、前記複数の液状材料用射出シリンダは、前後進シリンダの前進により該前後進シリンダと同一方向に前進作動するピストンを備えた射出シリンダと、前後進シリンダの前進作動と共に前進する調整部材により前後進シリンダの前進方向と直交する方向に前進作動するピストンを備えた射出シリンダであることを特徴とする液状材料射出装置とする場合もある。
【００１２】
【発明の実施の形態】
以下、本発明の一実施形態を図に基づいて説明する。図は、本発明の一実施形態を示すものであって、特に限定されるものではなく本発明の範囲内において適宜構成が変更されることがある。
【００１３】
図中、１は液状材料射出装置を示し、該装置１は、前後進シリンダ２と、該シリンダ２と連動して前後進する調整部材６と、該前後進シリンダ２あるいは調整部材６によって前後進作動する第一液状材料用射出シリンダ３，第二液状材料用射出シリンダ４，第三液状材料用射出シリンダ５によって構成されている。尚、少なくとも前後進シリンダ、二以上の液状材料用射出シリンダ、および調整部材を備えてなるものであれば本発明の範囲内であり、その他の構成を適宜必要に応じて追加することは自由である。
【００１４】
前後進シリンダ２は、ピストン２ａの先端にプレート２ｂを一体的に取り付け、該プレート２ｂの前面２ｃに第一液状材料用射出シリンダ３，第二液状材料用射出シリンダ４の夫々のピストン３ａ，４ａの一端側を固定し、上面２ｄには調整部材６を一体的に取り付けている。
【００１５】
液状材料用射出シリンダは、前後進シリンダ２の前進方向と同一方向（図１中矢印Ｙ方向）に前進作動するピストン３ａ，４ａを備えた並列する第一液状材料用射出シリンダ３，第二液状材料用射出シリンダ４と、前後進シリンダ２のプレート上面２ｄに取付けられ、該前後進シリンダ２の前進作動と共に前進する調整部材６により前後進シリンダ２の前進方向と直交する方向（図１中矢印Ｘ方向）に前進作動するピストン５ａを備えた第三液状材料用射出シリンダ（押し出し量調整可能なシリンダ）５である。
【００１６】
上記第三液状材料用射出シリンダ５は、例えば本実施形態では、第一，第二液状材料用射出シリンダ３，４と直交するように上方位置に備えられ、ピストン５ａの下端５ｂを調整部材６の傾斜角度調整可能な押上げ作動部６ｂの表面６ｅに摺接せしめている。
【００１７】
本実施形態における第三液状材料用射出シリンダ５は、ピストン５ａの下端５ｂにローラ５ｃを回転自在に備えて調整部材６とのスムーズな摺動を得る構造としている。なお、このローラ５ｃは特に限定される構造ではなく、調整部材６の移動に応じてピストン５ａのスムーズな前後進作動が得られるものであれば限定はされず、他の構造を備えるもの、あるいは備えないものとすることなど選択可能である。
【００１８】
また、本実施形態における第三液状材料用射出シリンダ５は、第一，第二射出シリンダ３，４と比して小容量状に形成しているが、特にその容量は限定されず、第一，第二射出シリンダ３，４と比して同容量、あるいは大容量とするも自由である。
【００１９】
また、上記第一，第二液状材料用射出シリンダ３，４は、特にその構造、例えば容量、形状など任意にその構造が選択可能である。さらに、第一，第二，第三液状材料用射出シリンダ３，４，５は、任意に配設数が選択可能で、複数個配設し、任意の一つあるいは全てがピストンの移動距離調整が可能とするものであれば本発明の範囲内である。
【００２０】
調整部材６は、第三液状材料用射出シリンダ５におけるピストン５ａの前後進移動量を任意に調整するものであり、例えば次のような構成が実施の一形態として挙げられる。
【００２１】
図１，２に示す実施形態における調整部材６は、前後進シリンダ２に取付けられたプレート２ｂと直交状に取付けられる取付プレート６ａと、該取付プレート６ａに前端６ｃ側を回動可能に軸着すると共に、取付けプレート６ａから立設された角度調整機構６ｆの一端６ｇを後端６ｄ側に取付けて上下方向に傾斜角度調整可能とされた押上げ作動部（押上げ作動プレート）６ｂとから構成されており、該押上げ作動プレート６ｂの表面６ｅに第三液状材料用射出シリンダ５におけるピストン５ａの下端５ｂが摺接している。
【００２２】
角度調整機構６ｆは、押し上げ作動プレート６ｂの後端６ｄ側を、上下方向に自動あるいは手動的に押し上げると共に、所定位置に固定してプレート６ｂの傾斜角度が自由に選択可能な構造であれば特にその構造は周知構造が適用可能であり、例えばエアーシリンダ・油圧シリンダなどが代表的形態として挙げられる。また、押上げ作動プレート６ｂの傾斜角度は特に限定されるものではなく、本発明の範囲内において適宜選択される。
【００２３】
ここで、本実施形態に示す液状材料射出装置１の使用状態（作動）について説明する。
【００２４】
まず、第一液状材料用射出シリンダ３，第二液状材料用射出シリンダ４，第三液状材料用射出シリンダ５に、夫々異なった所望な液状材料（例えばＡ液、Ｂ液、Ｃ液）を夫々送り込む。そして、前後進シリンダ２を前進作動せしめると、該シリンダ２のピストン２ａの前進により第一液状材料用射出シリンダ３，第二液状材料用射出シリンダ４のピストン３ａ，４ａが同時に前進作動を行い、Ａ液・Ｂ液を押し出す。この時、前記前後進シリンダ２の前進作動と共に、該シリンダ２に一体的に備えられた調整部材６も同時に前進作動を開始し、該調整部材６の押上げ作動プレート６ｂの表面傾斜に従って第三液状材料用射出シリンダ５のピストン５ａが前進作動を行い、Ｃ液も同時に押し出される。すなわち、このＣ液の押し出し量は、調整部材６の押上げ作動ブレート６ｂの傾斜角度の緩急調整によってピストン５ａの移動距離が長短調整されるため増減変更可能である。
【００２５】
本実施形態における第一，第二，第三液状材料用射出シリンダ３，４，５から押し出されるＡ液、Ｂ液、Ｃ液の夫々の比率一例を、調整部材６の押上げ作動プレート６ｂの傾斜角度を数例挙げて説明すると、次のように例示される。尚、下記例は一例であってこれに何等限定されるものではない。
0004385352.tif 000002
【００２６】
上述した本実施形態では、第三液状材料用射出シリンダ５のみに調整部材６を用いてピストン５ａの移動量調整を行い、該第三液状材料用射出シリンダ５からの液状材料の押し出し量のみを必要に応じて増減変更調整可能とするが、第一，第二液状材料用射出シリンダ３，４にも前記同様に別途前後進シリンダ２と連動する調整部材６を備えることで、他のシリンダ３，４における液状材料の押し出し量調整ができる構造とすることも本発明の範囲内である。
例えば、本実施形態に示す調整部材６と同一構成の調整部材を、同様にプレート２ｂに一個乃至複数個取付けると共に、夫々の押上げ作動プレート６ｂ表面にピストン３ａ，４ａの一端を摺接せしめて必要数の液状材料用射出シリンダ３，４を備える構造とする。
【００２７】
【発明の効果】
本発明は、上述の通りの構成であることから、単一の前後進シリンダによる前進動作で複数の液状材料を同時に押し出す装置において、液状材料の押し出し量の所要混合比率に応じてその都度液状材料の押し出し量を増減変更可能な液状材料射出装置が提供できた。すなわち、調整部材の傾斜角度を適宜緩急調整することで、前記射出シリンダのピストンの移動距離を長短調整し、射出シリンダからの液状材料の押し出し量が増減調整可能となる。
【図面の簡単な説明】
【図１】本発明液状材料射出装置の一実施形態を示す一部縦断側面図。
【図２】正面図。
【図３】従来技術を示す一部縦断側面図。
【符号の説明】
１：液状材料射出装置
２：前後進シリンダ
２ａ：ピストン
３：第一液状材料用射出シリンダ
３ａ：ピストン
４：第二液状材料用射出シリンダ
４ａ：ピストン
５：第三液状材料用射出シリンダ
５ａ：ピストン
６：調整部材
６ｂ：押し上げ作動部（押上げ作動プレート）
６ｆ：角度調整機構
【図１】
0004385352.tif 000003
【図２】
0004385352.tif 000004
【図３】
0004385352.tif 000005